(57)【要約】【課題】通常の食器類や鍋などは勿論、必要に応じて、まな板、お玉、菜箸などの比較的長尺の調理器具なども確実に洗浄することもできる食器洗い機を提供する。【解決手段】食器洗い機１は、食器カゴ２，３を出し入れ可能に収容する箱形の洗浄槽４と、洗浄槽４内に配置された洗浄ノズル５〜７などを備えている。洗浄ノズル５，６は、給水部材１０，１２上面のノズルブラケット５ａ，６ａにそれぞれ回動自在に軸支され、給水部材１０の先端付近下面の給水軸１１に給水部材１２の基端部が回動自在に軸支されている。給水軸１１を中心に給水部材１２を給水部材１０の直下部分まで回動させれば、洗浄ノズル６も給水軸１１を中心に旋回して給水部材１０の下方まで移動する。この状態で食器カゴ２を取り外せば、洗浄ノズル８の上方に天地方向に連続した収容部１３が形成される。【選択図】        図１
2004290595.tif 000002
【特許請求の範囲】
【請求項１】
食器カゴを出し入れ可能に収容する洗浄槽と、前記洗浄槽内に洗浄水を噴出させるため前記洗浄槽内の互いに異なる箇所に配置された複数の洗浄ノズルとを備えた食器洗い機において、複数の前記洗浄ノズルのいずれかを復帰可能に移動させる待避手段を設けたことを特徴とする食器洗い機。
【請求項２】
前記待避手段として、前記洗浄ノズルを旋回可能に保持する旋回機構を設けた請求項１記載の食器洗い機。
【請求項３】
前記待避手段として、前記洗浄ノズルを傾動可能に保持する傾動機構を設けた請求項１記載の食器洗い機。
【請求項４】
前記待避手段として、前記洗浄ノズルを着脱可能に保持する連結機構を設けた請求項１記載の食器洗い機。
【請求項５】
待避状態にある前記洗浄ノズルへの給水経路を閉止する止水機構を設けた請求項１〜４のいずれかに記載の食器洗い機。
【請求項６】
待避状態にある前記洗浄ノズルを除く残余の前記洗浄ノズルの少なくとも一部への給水量を増大させる増水機構を設けた請求項５記載の食器洗い機。
【請求項７】
前記洗浄ノズルが待避状態にあるとき、少なくとも前記収容部に向かって洗浄水を噴出する補助洗浄ノズルを設けた請求項１〜６のいずれかに記載の食器洗い機。
【発明の詳細な説明】
【０００１】
【発明の属する技術分野】
本発明は、使用後の食器を洗浄槽内に収容して洗浄する機能を有する食器洗い機に関する。
【０００２】
【従来の技術】
従来の食器洗い機は、食器積載用の食器カゴを出し入れ可能に収容する箱形の洗浄槽と、洗浄槽の開口部を開閉可能に閉塞するドアと、外部から供給される水道水を洗浄水として洗浄槽内へ圧送するためのポンプと、ポンプから圧送された洗浄水を食器カゴ方向へ噴射するため洗浄槽内に配置された複数の洗浄ノズルなどによって構成されたもの（例えば、特許文献１参照。）が主流である。
【０００３】
特許文献１に記載の食器洗い機においては、当該文献の図１に示されているように、洗浄槽の正面開口部から見て上下左右の合計４カ所にそれぞれ洗浄ノズルが配置され、各洗浄ノズルから洗浄槽の天井面に向かって洗浄水が噴出する。また、食器カゴに積載された食器類などに満遍なく洗浄水を当てて洗浄機能を高めるため、それぞれの洗浄ノズルは、洗浄水噴出に伴う反作用によりスプリンクラー状に回転するようになっている。
【０００４】
【特許文献１】
特開２００２−５３５号公報（第４−６頁、第１図）
【０００５】
【発明が解決しようとする課題】
特許文献１に記載の食器洗い機においては、上段側に配置された複数の洗浄ノズルおよびこれらの洗浄ノズルへの給水用配管などによって、洗浄槽内の空間が上下２段に区画された状態にある。このため、まな板、お玉、菜箸などの比較的長尺の調理器具あるいは外径の大きな丸皿、楕円皿、矩形皿などを洗浄する場合には、水平状態に倒伏させて収容カゴに積載せざるを得ないのが実状である。
【０００６】
ところが、まな板や外径の大きな皿類などを水平状態にして収容カゴに積載した場合、これらは水平投影面積が大であるため、洗浄ノズルから噴出する洗浄水が当たらない領域が生じたり、洗浄槽内での洗浄水の拡散、循環を妨げたりすることが多い。このため、まな板などを他の食器類と混在させて食器カゴに積載した場合、本来の洗浄機能が発揮されず、洗浄不良が生じる可能性が高い。このように、従来の食器洗い機は、まな板や大皿類などを洗浄する際に不便である。
【０００７】
本発明が解決しようとする課題は、通常の食器類や鍋などは勿論、必要に応じて、まな板、お玉、菜箸などの比較的長尺の調理器具なども確実に洗浄することもできる食器洗い機を提供することにある。
【０００８】
【課題を解決するための手段】
本発明の食器洗い機は、食器カゴを出し入れ可能に収容する洗浄槽と、洗浄槽内に洗浄水を噴出させるため洗浄槽内の互いに異なる箇所に配置された複数の洗浄ノズルとを備えた食器洗い機において、複数の洗浄ノズルのいずれかを復帰可能に移動させる待避手段を設けたことを特徴とする。
【０００９】
このような構成において、前記待避手段で洗浄ノズルのいずれかを移動させれば、当該洗浄ノズルが占有していたスペースが空くため、洗浄槽内には当該洗浄ノズルがあったときよりも広く天地方向に連続した収容部が形成され、この収容部に、まな板やお玉などの長尺の調理器具などを起立状態で収容することが可能となる。したがって、水平状態のまな板などによって洗浄水の当たらない領域が生じたり、洗浄水の拡散、循環が妨げられたりすることがなくなり、通常の食器類や鍋などは勿論、まな板、お玉、菜箸などの比較的長尺の調理器具なども確実に洗浄することができるようになる。また、前記待避手段で移動させた洗浄ノズルは復帰可能であるため、通常運転時における食器類や鍋などの洗浄に支障が生じることもない。
【００１０】
ここで、前記待避手段として、洗浄ノズルを旋回可能に保持する旋回機構を設けることが望ましい。このような旋回機構を設ければ、洗浄ノズルを旋回させるという簡単な操作により、洗浄槽内に天地方向に連続した収容部を形成することができるため、操作性、利便性に優れたものとなる。
【００１１】
また、前記待避手段として、前記洗浄ノズルを傾動可能に保持する傾動機構を設けることもできる。このような傾動機構を設ければ、洗浄ノズルを傾動させるという簡単な操作で洗浄槽内に天地方向に連続した収容部を形成することができるため、前述と同様、操作性、利便性に優れたものとなる。また、洗浄槽内における洗浄ノズルへの給水用配管などは一般に水平方向に配置されている関係上、洗浄ノズルの傾動領域および待避場所を比較的容易に確保することができるため、この傾動機構は、従来の食器洗い機の構造に大幅な変更を加えることなく採用することができるという利点もある。
【００１２】
さらに、前記待避手段として、洗浄ノズルを着脱可能に保持する連結機構を設けることもできる。このような連結機構を採用すれば、洗浄ノズルを離脱させるという簡単な操作で洗浄槽内に天地方向に連続した収容部を形成することができるため、前述と同様、操作性、利便性に優れたものとなる。また、待避状態にある洗浄ノズルは洗浄槽内から離脱しているため、前記収容部を広く確保することができ、洗浄作用を妨げることもない。
【００１３】
なお、離脱させた洗浄ノズルを着脱可能に取り付けて洗浄水を噴出させることのできる給水口または給水器具を、洗浄槽の内側面あるいは天井面などに別途設けておけば、前記収容部を形成する際に離脱させた洗浄ノズルをこれらの給水口などに取り付けて洗浄水を噴出させ洗浄作業に供することができるようになる。これによって、洗浄ノズルを離脱させたことによる洗浄機能の低下を回避することができるほか、通常運転時とは異なる方向へ洗浄水を噴出させることも可能となり洗浄機能の向上を図ることができる。
【００１４】
そのほかの待避手段として、前記洗浄ノズルへの給水用配管の一部に、その軸方向に伸縮可能な部分を設けたり、湾曲復元可能な変形部を設けたり、変形自在な可動部を設けたりすることもできる。
【００１５】
一方、待避状態にある洗浄ノズルへの給水経路を閉止する止水機構を設けることが望ましい。このような止水機構を設ければ、待避状態にあることにより本来の方向と異なる方向を向いている洗浄ノズルから洗浄水が噴出して他の洗浄ノズルの機能を妨げたり、洗浄水の無駄が生じたりすることを防ぐことができる。
【００１６】
この場合、待避状態にある洗浄ノズルを除く残余の洗浄ノズルの少なくとも一部への給水量を増大させる増水機構を設けることが望ましい。このような増水機構を設ければ、待避状態にある洗浄ノズル以外の洗浄ノズルによる洗浄作用を高めることができる。したがって、待避状態にして実際に洗浄水を噴出する洗浄ノズルの個数が減少したことに起因する洗浄能力の低下を回避することができる。
【００１７】
この場合、待避状態にある洗浄ノズルを除く残余の全ての洗浄ノズルへの給水量を均等に増大させる方式、あるいは、残余の洗浄ノズルのうちの一部の洗浄ノズルへの給水量を増大させる方式を採用することができる。また、前記残余の洗浄ノズルのうちのどの洗浄ノズルへの給水量を増大させるかを選択できる切り替え機構を設けることもできる。
【００１８】
一方、前記洗浄ノズルが待避状態にあるとき、少なくとも前記収容部に向かって洗浄水を噴出する補助洗浄ノズルを設けることが望ましい。このような補助洗浄ノズルを設ければ、前記収容部に収容されるまな板やお玉などに対する洗浄作用を高めることができるだけでなく、待避状態にあって機能が停止している洗浄ノズルの洗浄作用を補填することができるため、食器洗い機本来の優れた洗浄機能を確保することができる。
【００１９】
【発明の実施の形態】
図１は本発明の第１実施形態である食器洗い機の通常運転時の洗浄水噴出状況をドアなし状態で示す正面図、図２は前記食器洗い機の洗浄ノズル待避手段を示す平面図、図３（ａ）は通常時における洗浄ノズルの一部切欠平面図、同（ｂ）は前記洗浄ノズルの一部切欠正面図、図４は（ａ）は待避時の洗浄ノズルの一部切欠平面図、同（ｂ）は前記洗浄ノズルの一部切欠正面図、図５は前記食器洗い機の洗浄ノズル待避時の洗浄水噴出状況をドアなし状態で示す正面図である。
【００２０】
図１に示すように、本実施形態の食器洗い機１は、食器カゴ２，３を出し入れ可能に収容する箱形の洗浄槽４と、外部から供給された洗浄水を洗浄槽４内に噴出させるため洗浄槽４内の互いに異なる箇所に配置された合計４個の洗浄ノズル５〜７などを備えている。食器カゴ２，３は、洗浄槽４内において所定間隔をおいて上下２段に配置され、洗浄槽４の左右側壁内面に設けられた二対の保持レール９によって奥行き方向にスライド可能に保持されている。
【００２１】
洗浄槽４内の下段側に配置された洗浄ノズル７，８は、給水経路であるノズルブラケット７ａ，８ａにそれぞれ回動自在に軸支され、上段側に配置された洗浄ノズル５，６は、給水部材１０，１２の上面に設けられたノズルブラケット５ａ，６ａにそれぞれ回動自在に軸支されている。ノズルブラケット５ａは洗浄槽４の内壁面から水平状態に突設された給水部材１０の上面に設けられており、給水部材１０の先端付近の下面に設けられた給水軸１１に給水部材１２の基端部が回動自在に軸支されている。
【００２２】
通常運転時においては、洗浄槽４内の空間は、給水部材１０，１２および洗浄ノズル５，６などによって上下２つの領域に区画された状態にある。洗浄ノズル５〜８から洗浄水を噴出させると、その反作用により洗浄ノズル５〜８はそれぞれのノズルブラケット５ａ〜８ａを中心にスプリンクラー状に回転しながら洗浄水を洗浄槽４内に放出する。これらの洗浄ノズル５〜８から噴出する洗浄水によって、洗浄カゴ２，３に積載された食器類など（図示せず）の洗浄が行われる。通常運転時の洗浄機能については従来の食器洗い機と同様である。
【００２３】
一方、図２（ａ）に示すように、給水軸１１を中心に給水部材１２を回動させることにより、洗浄ノズル６は給水部材１０の下方の略水平面上を旋回させることができる。このため、図２（ｂ）に示すように、給水部材１２を給水部材１０の直下部分まで回動させれば、洗浄ノズル６も給水軸１１を中心に旋回して給水部材１０の下方まで移動し、この状態で上段の食器カゴ２を取り外せば、下段側の洗浄ノズル８の上方に天地方向に連続した収容部１３が形成される。
【００２４】
すなわち、給水部材１０に設けられた給水軸１１と、給水軸１１に回動自在に軸支された給水部材１２と、給水部材１２に軸支された洗浄ノズルとによって洗浄ノズル６の旋回機構が形成されている。そして、この旋回機構が、洗浄槽４内に収容部１３を形成するため洗浄ノズル６を復帰可能に移動させる待避手段として機能する。
【００２５】
前述したように、洗浄ノズル６を旋回させて給水部材１０の下方まで移動させれば、図５に示すように、洗浄ノズル６などが占有していたスペースが空くため、洗浄槽４内には洗浄ノズル６が元の位置にあったときよりも広く天地方向に連続した収容部１３が形成され、この収容部１３に、まな板１４やお玉１５などの長尺の調理器具などを起立状態で収容することができる。したがって、洗浄ノズル８から噴出する洗浄水がまな板１４やお玉１５などに当たるようになり、優れた洗浄作用が得られる。
【００２６】
また、まな板１４などを起立状態で収容することにより、洗浄水の当たらない領域がなくなり、洗浄水の拡散、循環を良好に保つことができるため、食器カゴ３に積載された通常の食器類や鍋などは勿論、まな板１４、お玉１５などの比較的長尺の調理器具なども確実に洗浄することができる。また、前記旋回機構を利用して移動させた洗浄ノズル６は、逆の操作をすることで元の状態に復帰可能であるため、通常の食器類や鍋などの洗浄に支障が生じることもない。
【００２７】
本実施形態においては、待避手段として、洗浄ノズル６を旋回可能に保持する旋回機構を設けているため、洗浄ノズル６を旋回させるという非常に簡単な操作により、洗浄槽４内に天地方向に連続した収容部１３を形成することができ、操作性、利便性に優れている。
【００２８】
一方、本実施形態においては、待避状態にある洗浄ノズル６への給水経路を閉止する止水機構を、給水軸１１に対する給水部材１２の軸支部分に設けている。図３に示すように、給水部材１２の基端部分に設けられた円筒連結部１２ａが給水軸１１の外周部に回動自在に装着されており、洗浄ノズル６を図１に示す平常運転状態に配置したとき、給水軸１１の一部に設けられた開口部１１ａと、円筒連結部１２ａに設けられた開口部１２ｂとが一致するようになっている。この状態において、給水部材１０から供給される水は開口部１１ａ，１２ｂを通過して給水部材１２へ流入し、洗浄ノズル６から洗浄槽４内へ噴出される。
【００２９】
一方、図４に示すように、洗浄ノズル６を１８０度旋回させて待避状態にすると、円筒連結部１２ａの開口部１２ｂが、給水軸１１の開口部１１ａの背面側へ移動して、給水部材１０から給水部材１２への給水経路が閉止されるため、洗浄ノズル６から洗浄水が噴出しない状態となる。このような止水機構を設けているため、待避状態にあることにより本来の方向と異なる方向を向いている洗浄ノズル６から洗浄水が噴出して他の洗浄ノズル５，７，８の機能を妨げたり、洗浄水の無駄が生じたりすることがない。
【００３０】
この場合、図５に示すように、待避状態にある洗浄ノズル６を除く残余の洗浄ノズル５，７，８のうちの洗浄ノズル８への給水量を増大させる増水機構を設けている。このため、洗浄ノズル６が機能停止しているときの洗浄ノズル８による洗浄作用を高めることができ、収容部１３に収容されたまな板１４やお玉１５などを確実に洗浄することができる。このように、洗浄ノズル６を待避状態にしたことで実際に洗浄水を噴出する洗浄ノズルは３個に減少しているが、洗浄ノズル８からの洗浄水の噴出量が増大させることによって洗浄能力の低下を回避することができる。
【００３１】
次に、図６〜図９を参照して、本発明の第２実施形態である食器洗い機２０について説明する。なお、食器洗い機２０において、前述した食器洗い機１の場合と同じ構造、機能を有する部分については、図６〜図９において、図１〜図５と同じ符号を付して説明を省略する。
【００３２】
本実施形態の食器洗い機２０においては、洗浄ノズルの待避手段として図６〜図８に示すように、洗浄ノズル６を傾動可能に保持する傾動機構を設けている。この傾動機構は、図９に示すように、洗浄ノズル６が回動自在に軸支された給水部材２２の基端部分に設けられた円筒連結部２２ａを、給水部材１０に設けられた給水軸２１の外周に回動自在に装着することによって形成されている。
【００３３】
図９（ａ）に示すように、給水部材２２が水平状態にあるとき、給水軸２１に設けられた開口部２１ａと給水部材２２の開口部２２ｂとが一致しているため、給水部材１０から供給される水は開口部２１ａ，２２ｂを通過して給水部材１２へ流入し、洗浄ノズル６から洗浄槽４内へ噴出可能となる。したがって、この状態で食器洗い機２０を作動させると、図６に示すように、４個の洗浄ノズル５〜８から洗浄水が均等に噴出され、食器カゴ２，３に積載された食器類などを洗浄することができる。
【００３４】
次に、図９（ｂ）に示すように、給水軸１１を中心に給水部材２２を上方へ４５度程度傾動させると、円筒連結部２２ａの開口部２２ｂが、給水軸２１の開口部２１ａの背面側へ移動して、給水部材１０から給水部材２２への給水経路が閉止されるため、洗浄ノズル６から洗浄水が噴出できない状態となる。また、この状態では、図７に示すように、洗浄槽２４内に、天地方向へ連続した収容部１３ａが形成されるため、この収容部１３ａにまな板やお玉などを収容することができる。
【００３５】
この状態で食器洗い機２０を作動させると、図７に示すように、洗浄ノズル６を除く残余の洗浄ノズル５，７，８から洗浄水が噴出し、食器カゴ３に積載された食器類および収容部１３ａに収容されたまな板やお玉などを洗浄することができる。この場合、洗浄ノズル５，７よりも大量の洗浄水が洗浄ノズル８から噴出するため、収容部１３ａに収容されたまな板１４やお玉などを確実に洗浄することができる。
【００３６】
さらに、図９（ｃ）に示すように、給水部材２２を上方へ傾動させて起立状態にすると、円筒連結部２２ａの側面に凸状に形成された補助洗浄ノズル２３が給水軸２１の開口部２１ａの外側に位置した状態となる。この状態では、図８に示すように、洗浄槽２４内に、天地方向へ連続した、収容部１３ａよりも広い収容部１３が形成されるため、この収容部１３にまな板１４やお玉などを収容することができる。
【００３７】
この状態で食器洗い機２０を作動させると、図８に示すように、洗浄ノズル６を除く残余の洗浄ノズル５，７，８および補助洗浄ノズル２３から均等に洗浄水が噴出するため、食器カゴ３に積載された食器類および収容部１３に収容されたまな板１４やお玉などを確実に洗浄することができる。この場合、補助洗浄ノズル２３から水平方向へ洗浄水が噴出するため、収容部１３に起立状態に収容されたまな板１４などに対して優れた洗浄作用を発揮する。
【００３８】
このように、食器洗い機２０の場合、洗浄ノズル６を傾動させるという簡単な操作で洗浄槽２４内に天地方向に連続した収容部１３ａ，１３を形成することができるため、前述の食器洗い機１と同様、操作性、利便性に優れている。また、洗浄槽２４内における洗浄ノズル５，６への給水部材１０などは水平方向に配置されている関係上、洗浄ノズル６の傾動領域および待避場所を比較的容易に確保することができるため、この傾動機構は、食器洗い機２０の構造に大幅な変更を加えることなく採用することができるという利点もある。
【００３９】
次に、図１０〜図１３を参照して、本発明の第３実施形態である食器洗い機３０について説明する。なお、食器洗い機３０において、前述した食器洗い機１の場合と同じ構造、機能を有する部分については、図１０〜図１３において、図１〜図５と同じ符号を付して説明を省略する。
【００４０】
図１０〜図１３に示すように、食器洗い機３０においては、洗浄ノズル６が回動自在に軸支された給水部材３２の基端部が、給水部材１０の分岐管３１の先端側面に形成された開口部３１ａに着脱可能に連結されている。したがって、洗浄ノズル６は給水部材３２とともに給水部材１０の分岐管３１に着脱可能であり、必要に応じて、洗浄ノズル６および給水部材３２を洗浄槽３４の内部から取り外すことができる。
【００４１】
また、図１３に示すように、分岐管３１の開口部３１ａの内側には、バネ３４によって開口部３１ａ方向へ付勢された開閉弁３４が配置され、給水部材３２の基端部には、その一部を切欠することによって突出部３２ａが形成されている。また、開口部３１ａの外周には、断面Ｌ字型の一対の連結部３１ｂが形成され、給水部材３２の基端部の外周には、連結部３１ｂと着脱可能に係合する断面コ字型の一対の連結部３２ｂが形成されている。
【００４２】
図１３に示すように、分岐管３１に対し給水部材３２が直角をなす位置から、給水部材３２の突出部３２ａを含む基端部分を分岐管３１の開口部３１ａに挿入して、連結部３１ｂに連結部３２ｂを係合させると、分岐管３１に給水部材３２が連結される。このとき、給水部材３２の突出部３２ａが開閉弁３４を分岐管３１内へ押し込んでいるため、分岐管３１と給水部材３２とは連通状態となる。
【００４３】
このような状態で、食器洗い機３０を作動させると、図１０に示すように、４個の洗浄ノズル５〜８から洗浄水が均等に噴出され、食器カゴ２，３に積載された食器類などを洗浄することができ、従来の食器洗い機と同様の洗浄機能を発揮する。
【００４４】
次に、図１１に示すように、洗浄ノズル６を給水部材３２とともに分岐管３１から取り外すと、図１３（ｂ）に示すように、分岐管３１の開口部３１ａの内側に配置された開閉弁３４がバネ３３によって開口部３１ａに押し当てられ開口部３１ａが閉止される。また、洗浄ノズル６などを取り外すことにより、図１１，図１２（ｂ）に示すように、洗浄槽３４内には、天地方向に連続した収容部１３が形成されるため、この収容部１３にまな板１４やお玉などを収容することができる。
【００４５】
この状態で食器洗い機３０を作動させると、図１１に示すように、洗浄ノズル５，７，８から洗浄水が噴出するので、食器カゴ３に積載された食器類やまな板１４などを洗浄することができる。この場合、洗浄ノズル８からは他の洗浄ノズル５，７よりも大量の洗浄水が噴出するため、収容部１３に収容されたまな板１４などを確実に洗浄することができる。
【００４６】
このように、洗浄ノズルの待避手段として、洗浄ノズル６などを着脱可能に保持する連結機構を分岐管３１の開口部３１ａと給水部材３２の基端部との間に設けることにより、洗浄ノズル６などを離脱させるという簡単な操作で洗浄槽３４内に洗浄ノズル６などがあったときよりも広く天地方向に連続した収容部１３を形成することができる。このため、前述の食器洗い機１，２０と同様、操作性、利便性に優れたものとなる。また、待避状態にある洗浄ノズル６などは洗浄槽３４内から完全に離脱しているため、収容部１３を広く確保することができ、他の洗浄ノズル５，７，８の洗浄作用を妨げることもない。
【００４７】
なお、洗浄ノズル６などを分岐管３１から取り外したとき、分岐管３１の開口部３１ａは開閉弁３４によって自動的に閉止されるため、開口部３１ａから洗浄水が噴出して他の洗浄ノズルの機能を妨げたり、洗浄水の無駄が生じたりすることがない。
【００４８】
さらに、分岐管３１の開口部３１ａと同様の機能を有する給水口または給水器具などを、洗浄槽３４の内側面あるいは天井面などに別途設ければ、収容部１３を形成する際に離脱させた洗浄ノズル６などをこれらの給水口などに取り付けて洗浄水を噴出させ洗浄作業に供することができようになる。このような構成とすれば、洗浄ノズル６などを離脱させノズル総数が減少したことに起因する洗浄機能の低下を回避することができる。また、離脱させた洗浄ノズル６などを、必要に応じて、洗浄槽３４の内側面や天井面などに取り付けることにより、通常運転時とは異なる方向へ洗浄水を噴出させることも可能となるため、洗浄機能の向上を図ることもできる。
【００４９】
これまで説明した食器洗い機１，２０，３０においては、図１４に示すように、食器洗い機１，２０，３０に内蔵されたポンプＰから供給される洗浄水を互いに独立した２つの給水経路４１，４２を経由して洗浄ノズル５，６，７，８に送給するように配管している。すなわち、洗浄ノズル５，７に対しては給水経路４１を経由して洗浄水が供給され、洗浄ノズル６，７に対しては給水経路４２を経由して洗浄水が供給される。
【００５０】
したがって、食器洗い機１，２０，３０において、洗浄ノズル６を待避させることによって洗浄ノズル６への給水経路が閉止されると、給水経路４２を経由して供給される洗浄水が洗浄ノズル８のみに集中する結果、図１５に示すように、洗浄ノズル８からの洗浄水の噴出量が増大するようになっている。
【００５１】
一方、図１６に示すように、ポンプＰから供給される洗浄水を共通した１本の給水経路４３を経由して洗浄ノズル５，６，７，８に送給するように配管することもできる。このような配管を行えば、洗浄ノズル６を待避させることによって洗浄ノズル６への給水経路が閉止されると、図１７に示すように、給水経路４３から洗浄ノズル５，７，８へ供給される洗浄水は均等に増大し、噴出量も均等に増大することとなる。このような均等増大方式の場合、洗浄ノズル５，７，８から噴出する洗浄水によって洗浄される食器類の汚れ落ちが向上するため、少量の食器類や汚れの多い食器類を比較的短時間で洗浄することができる。
【００５２】
【発明の効果】
本発明により、以下の効果を奏する。
【００５３】
（１）食器カゴを収容する洗浄槽と、洗浄槽内に配置された複数の洗浄ノズルとを備えた食器洗い機において、複数の洗浄ノズルのいずれかを復帰可能に移動させる待避手段を設けたことにより、通常の食器類や鍋などは勿論、必要に応じて、まな板、お玉、菜箸などの比較的長尺の調理器具なども確実に洗浄することができるようになる。
【００５４】
（２）前記待避手段として、洗浄ノズルを旋回可能に保持する旋回機構を設ければ、簡単な操作で洗浄槽内に天地方向に連続した収容部を形成可能となるため、操作性、利便性に優れたものとなる。
【００５５】
（３）前記待避手段として、洗浄ノズルを傾動可能に保持する傾動機構を設ければ、簡単な操作で洗浄槽内に天地方向に連続した収容部を形成可能となるため、前述と同様、操作性、利便性に優れたものとなる。また、この傾動機構は従来の食器洗い機の構造に大幅な変更を加えることなく採用可能という利点もある。
【００５６】
（４）前記待避手段として、洗浄ノズルを着脱可能に保持する連結機構を設ければ、簡単な操作で洗浄槽内に天地方向に連続した収容部を形成可能となるため、前述と同様、操作性、利便性に優れたものとなる。また、待避状態においては、前記収容部を広く確保することができ、洗浄作用が妨げられることもない。
【００５７】
（５）待避状態にある洗浄ノズルへの給水経路を閉止する止水機構を設ければ、待避状態にある洗浄ノズルから洗浄水が噴出して他の洗浄ノズルの機能を妨げたり、洗浄水の無駄が生じたりすることを防ぐことができる。
【００５８】
（６）待避状態にある洗浄ノズルを除く残余の洗浄ノズルの少なくとも一部への給水量を増大させる増水機構を設ければ、待避状態にある洗浄ノズル以外の洗浄ノズルの洗浄作用を高めることができるため、洗浄能力の低下を回避することができる。
【００５９】
（７）洗浄ノズルが待避状態にあるとき、少なくとも前記収容部に向かって洗浄水を噴出する補助洗浄ノズルを設ければ、前記収容部に収容されるまな板やお玉などに対する洗浄作用を高めることができるだけでなく、食器洗い機本来の優れた洗浄機能を確保することができる。
【図面の簡単な説明】
【図１】本発明の第１実施形態である食器洗い機の通常運転時の洗浄水噴出状況をドアなし状態で示す正面図である。
【図２】図１に示す食器洗い機における洗浄ノズル待避手段を示す平面図である。
【図３】（ａ）は通常時の洗浄ノズルの一部切欠平面図、（ｂ）は前記洗浄ノズルの一部切欠正面図である。
【図４】（ａ）は待避時の洗浄ノズルの一部切欠平面図、（ｂ）は前記洗浄ノズルの一部切欠正面図である。
【図５】図１に示す食器洗い機の洗浄ノズル待避時における洗浄水噴出状況をドアなし状態で示す正面図である。
【図６】本発明の第２実施形態である食器洗い機の通常運転時の洗浄水噴出状況をドアなし状態で示す正面図である。
【図７】図６に示す食器洗い機の洗浄ノズル待避時の洗浄水噴出状況をドアなし状態で示す正面図である。
【図８】図６に示す食器洗い機の洗浄ノズル待避時の洗浄水噴出状況をドアなし状態で示す正面図である。
【図９】図６に示す食器洗い機の洗浄ノズルの待避手段を示す一部切欠正面図である。
【図１０】本発明の第３実施形態である食器洗い機の通常運転時の洗浄水噴出状況をドアなし状態で示す正面図である。
【図１１】図１０に示す食器洗い機の洗浄ノズル待避時の洗浄水噴出状況をドアなし状態で示す正面図である。
【図１２】図１０に示す食器洗い機の洗浄ノズルの待避手段を示す正面図である。
【図１３】図１０に示す食器洗い機の洗浄ノズルの連結部分を示す一部切欠平面図である。
【図１４】図１，図６，図１０に示す食器洗い機の通常運転時における洗浄ノズルへの給水経路を示す模式図である。
【図１５】図１，図６，図１０に示す食器洗い機の洗浄ノズル待避時における洗浄水噴出状況を示す模式図である。
【図１６】洗浄ノズルへの給水経路に関するその他の実施の形態を示す模式図である。
【図１７】図１６に示す給水経路の洗浄ノズル待避時における洗浄水噴出状況を示す模式図である。
【符号の説明】
１，２０，３０  食器洗い機
２，３  食器カゴ
４，２４，３４  洗浄槽
５，６，７，８  洗浄ノズル
５ａ，６ａ，７ａ，８ａ  ノズルブラケット
９  保持レール
１０，１２，２２，３２  給水部材
１１，２１  給水軸
１１ａ，１２ｂ，２１ａ，２２ｂ  開口部
１２ａ  円筒連結部
１３，１３ａ  収容部
１４  まな板
１５  お玉
２３  補助洗浄ノズル
３１  分岐管
３１ｂ，３２ｂ  連結部
３２ａ  突出部
３３  バネ
３４  開閉弁
Ｐ  ポンプ
【図１】
2004290595.tif 000003
【図２】
2004290595.tif 000004
【図３】
2004290595.tif 000005
【図４】
2004290595.tif 000006
【図５】
2004290595.tif 000007
【図６】
2004290595.tif 000008
【図７】
2004290595.tif 000009
【図８】
2004290595.tif 000010
【図９】
2004290595.tif 000011
【図１０】
2004290595.tif 000012
【図１１】
2004290595.tif 000013
【図１２】
2004290595.tif 000014
【図１３】
2004290595.tif 000015
【図１４】
2004290595.tif 000016
【図１５】
2004290595.tif 000017
【図１６】
2004290595.tif 000018
【図１７】
2004290595.tif 000019